(57)【要約】【課題】液体補給容器を載置する載置台の載置面積を容易に確保することができる農作業機を提供する。【解決手段】液体貯留部８と、液体貯留部８に隣接する位置に設けられ、液体貯留部８に液体を補給するための液体補給容器９を載置可能な載置台３０と、が備えられ、載置台３０に、機体フレーム２に支持されて機体外側に向けて張り出された基部４０と、基部４０に支持されて基部４０よりも機体外側に張り出す張出状態に設置可能な張出部５０と、張出部５０を張出状態に状態保持する保持部６０と、が備えられている。【選択図】図４
2022002490.tif 000002
【特許請求の範囲】
【請求項１】
液体貯留部と、
前記液体貯留部に隣接する位置に設けられ、前記液体貯留部に液体を補給するための液体補給容器を載置可能な載置台と、が備えられ、
前記載置台に、機体フレームに支持されて機体外側に向けて張り出された基部と、前記基部に支持されて前記基部よりも機体外側に張り出す張出状態に設置可能な張出部と、前記張出部を前記張出状態に状態保持する保持部と、が備えられている農作業機。
【請求項２】
前記基部は、機体内側に格納可能に構成されている請求項１に記載の農作業機。
【請求項３】
前記張出部は、前記基部に対して着脱可能に構成されている請求項１または２に記載の農作業機。
【請求項４】
前記基部に、機体外周部に沿って延びる第１フレーム部と、前記第１フレーム部から機体外側に離れた位置に前記第１フレーム部と間隔を空けた状態で設けられた第２フレーム部と、が備えられ、
前記張出部に、前記張出部を前記基部に取り付けた取付状態において前記第１フレーム部に下方から当接する第１当接部と、前記取付状態において前記第２フレーム部に載置される第２当接部と、前記第１当接部と前記第２当接部とを結ぶとともに、前記取付状態において前記第２当接部よりも機体外側に延びる載置部と、が備えられ、
前記載置部のうち、少なくとも前記第２当接部よりも機体外側に突出する部分に、前記液体補給容器を載置可能であり、
前記保持部は、前記取付状態において、前記第１フレーム部及び前記第２フレーム部に係止することで、機体に対して近接離間する方向での前記張出部の前記基部に対する相対移動を規制するように構成されている請求項３に記載の農作業機。
【請求項５】
前記保持部は、前記取付状態において、前記第１フレーム部よりも機体内側と前記第２フレーム部よりも機体外側とに位置して、前記第１フレーム部と前記第２フレーム部との両方に隣り合う状態となる請求項４に記載の農作業機。
【請求項６】
前記保持部は、前記取付状態において、前記第１フレーム部と前記第２フレーム部との間に位置して、前記第１フレーム部と前記第２フレーム部との両方に隣り合う状態となる請求項４に記載の農作業機。
【請求項７】
前記第１当接部は、前記第１フレーム部を外周側から取り囲むとともに前記第１フレーム部を差し込み可能な形状、かつ、前記取付状態において前記第１フレーム部の上側部分に隣り合う上部及び前記取付状態において前記第１フレーム部の下側部分に隣り合う下部を有する形状に構成されている請求項４から６の何れか一項に記載の農作業機。
【請求項８】
前記張出部に、前記第１当接部及び前記第２当接部及び前記載置部が複数組備えられるとともに、複数組の前記第１当接部及び前記第２当接部及び前記載置部を連結する連結部材が備えられている請求項４から７の何れか一項に記載の農作業機。
【請求項９】
前記張出部は、前記張出状態を維持したまま、前記基部に対して機体外周部沿いにスライド移動可能である請求項１から８の何れか一項に記載の農作業機。
【請求項１０】
前記基部は、機体外側ほど機体に沿う幅が狭くなる枠状体に形成され、
前記基部に、当該基部のうちの機体最外側に位置して機体外周部に沿って延びる第２フレーム部と、前記第２フレーム部の延び方向における両端部から機体に向けて斜めに延びる斜めフレーム材と、前記第２フレーム部から機体内側に離れた位置に前記第２フレーム部と間隔を空けた状態で設けられ、前記第２フレーム部と平行な状態で前記斜めフレーム材から延びる第１フレーム部と、が備えられている請求項１から９の何れか一項に記載の農作業機。
【請求項１１】
前記基部は、機体に対して未刈地側に位置して前記未刈地側の作物を分草する分草ガイドによって構成されている請求項１から１０の何れか一項に記載の農作業機。
【発明の詳細な説明】
【技術分野】
【０００１】
本発明は、燃料タンク等の液体貯留部を備える農作業機に関する。
【背景技術】
【０００２】
従来、たとえば特許文献１に示されるように、燃料タンク（液体貯留部の一例）を備えるコンバインにおいて、サイド分草杆を燃料補給タンク（液体補給容器の一例）の載置支持に使用するものが存在した。サイド分草杆は、機体フレームに前後向き軸芯周りで上下揺動自在に枢着され、任意の姿勢に保持可能に構成されている。サイド分草杆にはタンク支持部が設けられ、当該タンク支持部に燃料補給タンクを載置して燃料補給タンクを支持できるよう構成されている。
【先行技術文献】
【特許文献】
【０００３】
【特許文献１】特開２０１３−７５５５７号公報
【発明の概要】
【発明が解決しようとする課題】
【０００４】
特許文献１のコンバインでは、燃料補給タンクを載置して支持するタンク支持部がサイド分草杆に設けられている。コンバインにおいて、サイド分草杆は、走行機体の横側方に位置する未刈り穀稈が機体側に倒れ込まないように未刈り穀稈を分草する。サイド分草杆は、機体外側への突出幅を大きくなると、未刈り穀稈をなぎ倒してしまうおそれがある。そのため、サイド分草杆は機体外側への突出幅は小さい方が望ましい。だだし、サイド分草杆の機体外側への突出幅が小さくした場合には、タンク支持部の機体左右方向の幅も小さくなるため、燃料補給タンクの載置スペースが狭くなってしまう。
【０００５】
上記実情に鑑みて、作業時の邪魔にならず、且つ液体補給容器の載置スペースを広く確保することができる農作業機が要望されている。
【課題を解決するための手段】
【０００６】
本発明に係る農作業機の特徴構成は、液体貯留部と、前記液体貯留部に隣接する位置に設けられ、前記液体貯留部に液体を補給するための液体補給容器を載置可能な載置台と、が備えられ、前記載置台に、機体フレームに支持されて機体外側に向けて張り出された基部と、前記基部に支持されて前記基部よりも機体外側に張り出す張出状態に設置可能な張出部と、前記張出部を前記張出状態に状態保持する保持部と、が備えられていることにある。
【０００７】
本構成によれば、液体補給容器を載置可能な載置台は、機体外側に張り出された基部と、基部よりも機体外側に張り出す張出状態に設置される張出部とによって、機体左右方向の幅を大きくすることができる。これにより、農作業機は、載置台において液体補給容器の載置スペースを広く確保することができる。また、張出部を張出状態に状態保持する保持部を備えることで、載置台の張出部は張出状態に確実に状態保持されるため、載置台に液体補給容器を安定的に載置することができる。これにより、農作業機において、載置台に液体補給容器を安定的に載置して、液体補給を楽に行うことができる。また、載置台は、張出部を基部から張り出ない状態にすることで、農作業機をコンパクトな形態に変更することもできる。その結果、作業時の邪魔にならず、且つ液体補給容器の載置スペースを広く確保することができる農作業機を構成することができた。
【０００８】
さらに、本発明において、
前記基部は、機体内側に格納可能に構成されていると好適である。
【０００９】
本構成によれば、基部は例えば不使用時において機体内側に格納することができるので、農作業機をコンパクトな形態に容易に変更することができる。
【００１０】
さらに、本発明において、
前記張出部は、前記基部に対して着脱可能に構成されていると好適である。
【００１１】
本構成によれば、張出部は、必要時に基部に取付けて載置台の一部として用い、載置台として使用しない不要時には基部から外すことができる。これにより、農作業機は作業時や移動時等において張出部を有しないコンパクトな形態に変更することができる。
【００１２】
さらに、本発明において、
前記基部に、機体外周部に沿って延びる第１フレーム部と、前記第１フレーム部から機体外側に離れた位置に前記第１フレーム部と間隔を空けた状態で設けられた第２フレーム部と、が備えられ、前記張出部に、前記張出部を前記基部に取り付けた取付状態において前記第１フレーム部に下方から当接する第１当接部と、前記取付状態において前記第２フレーム部に載置される第２当接部と、前記第１当接部と前記第２当接部とを結ぶとともに、前記取付状態において前記第２当接部よりも機体外側に延びる載置部と、が備えられ、前記載置部のうち、少なくとも前記第２当接部よりも機体外側に突出する部分に、前記液体補給容器を載置可能であり、前記保持部は、前記取付状態において、前記第１フレーム部及び前記第２フレーム部に係止することで、機体に対して近接離間する方向での前記張出部の前記基部に対する相対移動を規制するように構成されていると好適である。
【００１３】
本構成によれば、基部に張出部が取付けられた取付状態において、基部の第１フレーム部に張出部の第１当接部が下方から当接し、基部の第２フレーム部に張出部の第２当接部が当接する。また、張出部には、第１当接部と第２当接部とを結ぶとともに、第２当接部よりも機体外側に延びる張出部の載置部が備えられ、載置部のうち、少なくとも第２当接部よりも機体外側に突出する部分に、液体補給容器が載置可能である。したがって、載置部に液体補給容器が載置されると、載置部は、第２当接部を支点として、第２当接部よりも機体外側が液体補給容器の自重により鉛直下向きの力を受け、第２当接部よりも機体内側が鉛直方向上向きの力を受ける。ここで、張出部の第１当接部が基部の第１フレーム部に下方から当接しているので、張出部の第２当接部よりも機体内側は、基部の第１フレーム部によって上下方向の位置が保持される。さらに、張出部を張出状態に状態保持する保持部が第１フレーム部及び第２フレーム部に係止することで、張出部は機体に対して近接離間する方向において基部に対する相対移動が規制される。すなわち、張出部は、保持部によって機体に対して近接離間する方向の位置を確実に保持することできる。これにより、液体補給容器の載置台は、基部に対して張出部を適正な位置及び姿勢に保持した状態で取付けることができる。その結果、載置台に載置される液体補給容器の姿勢が安定するので、農作業機において液体補給を楽に行うことができる。
【００１４】
さらに、本発明において、
前記保持部は、前記取付状態において、前記第１フレーム部よりも機体内側と前記第２フレーム部よりも機体外側とに位置して、前記第１フレーム部と前記第２フレーム部との両方に隣り合う状態となると好適である。
【００１５】
本構成によれば、張出部は、第１フレーム部よりも機体内側と第２フレーム部よりも機体外側とに位置する保持部によって機体に対して近接離間する方向への移動が確実に規制される。これにより、載置台において、機体に対して近接離間する方向における張出部の位置及び姿勢をより確実に保持することができる。
【００１６】
さらに、本発明において、
前記保持部は、前記取付状態において、前記第１フレーム部と前記第２フレーム部との間に位置して、前記第１フレーム部と前記第２フレーム部との両方に隣り合う状態となると好適である。
【００１７】
本構成によれば、張出部は、第１フレーム部及び第２フレーム部の間に位置する保持部によって載置部の延び方向への移動が確実に規制される。これにより、載置台において、機体に対して近接離間する方向における張出部の位置及び姿勢をより確実に保持することができる。
【００１８】
さらに、本発明において、
前記第１当接部は、前記第１フレーム部を外周側から取り囲むとともに前記第１フレーム部を差し込み可能な形状、かつ、前記取付状態において前記第１フレーム部の上側部分に隣り合う上部及び前記取付状態において前記第１フレーム部の下側部分に隣り合う下部を有する形状に構成されていると好適である。
【００１９】
張出部において、仮に、第１当接部が第１フレーム部の下方から当接する部位のみで構成されている場合、載置部に液体補給容器が載置されていないとき等において載置部に外力が加わると、張出部の第１当接部が基部から離れて張出部が基部から脱落する可能性がある。そこで、本構成では、張出部の第１当接部は、第１フレーム部を外周側から取り囲むとともに第１フレーム部を差し込み可能な形状、かつ、取付状態において前記第１フレーム部の上側部分に隣り合う上部及び取付状態において前記第１フレーム部の下側部分に隣り合う下部を有する形状に構成されている。本構成によれば、載置部に外力が加わっても、張出部の第１当接部は、上部または下部が第１フレーム部に当接するため、張出部は基部から脱落し難い。これにより、基部に対して張出部を安定的に保持することができる。
【００２０】
さらに、本発明において、
前記張出部に、前記第１当接部及び前記第２当接部及び前記載置部が複数組備えられるとともに、複数組の前記第１当接部及び前記第２当接部及び前記載置部を連結する連結部材が備えられていると好適である。
【００２１】
本構成によれば、張出部が複数組の第１当接部及び第２当接部及び載置部と、複数の載置部を連結する連結部材を備えるので、載置台の載置スペースを容易に拡張することができる。また、載置台は、複数組の第１当接部及び第２当接部及び載置部を連結部材によって間隔を空けた状態で構成することもできる。これにより、載置台は、全体を軽量化することもできる。
【００２２】
さらに、本発明において、
前記張出部は、前記張出状態を維持したまま、前記基部に対して機体外周部沿いにスライド移動可能であると好適である。
【００２３】
本構成によれば、張出部は基部に対して機体外周部沿いにスライド移動可能であるので、載置台の位置を液体貯留部の位置に容易に近づけることができる。これにより、農作業機において、液体貯留部に対する液体補給作業を楽に行うことができる。また、張出部は張出状態のままスライド移動可能であるので、張出部を移動させた後に載置台として即座に利用することができる。
【００２４】
さらに、本発明において、
前記基部は、機体外側ほど機体に沿う幅が狭くなる枠状体に形成され、前記基部に、当該基部のうちの機体最外側に位置して機体外周部に沿って延びる第２フレーム部と、前記第２フレーム部の延び方向における両端部から機体に向けて斜めに延びる斜めフレーム材と、前記第２フレーム部から機体内側に離れた位置に前記第２フレーム部と間隔を空けた状態で設けられ、前記第２フレーム部と平行な状態で前記斜めフレーム材から延びる第１フレーム部と、が備えられていると好適である。
【００２５】
基部において機体に沿う方向における両端部は、農作業機において角部となり得る部分である。このため、基部の両端部は、農作業機の周辺の他物に接触し易い部分である。しかし、本構成によれば、基部は、機体外側ほど機体に沿う幅が狭くなる枠状体に形成されているので、基部の両端部を幅狭の形状にすることができる。これにより、農作業機は、基部の両端部と他物との接触を抑制することができ、コンパクトな形態に構成することができる。また、基部は、斜めフレーム材に機体内側の第１フレーム部及び機体外側の第２フレーム部が配置されているため、第１フレーム部は第２フレーム部よりも機体に沿う方向の端部寄りに配置される。したがって、張出部は、第１フレーム部に第１当接部を当接させ、第２フレーム部の代わりに斜めフレーム材第２当接部を当接させた状態で、基部に取付けることもできる。
【００２６】
さらに、本発明において、
前記基部は、機体に対して未刈地側に位置して前記未刈地側の作物を分草する分草ガイドによって構成されていると好適である。
【００２７】
本構成によれば、液体補給容器を載置する載置台を構成する基部として分草ガイドを活用することができるので、基部を新たに設ける必要がなく、農作業機を簡素に構成することができる。
【図面の簡単な説明】
【００２８】
【図１】コンバインの全体を示す側面図である。
【図２】コンバインの全体を示す平面図である。
【図３】使用姿勢での基部の一部を示す平面図である。
【図４】載置台の基部の前端側の枢着構造を示す平面図である。
【図５】載置台の使用姿勢を示す側面図である。
【図６】第２実施形態における載置台の使用姿勢を示す側面図である。
【図７】第３実施形態における載置台の使用姿勢を示す側面図である。
【図８】第３実施形態における載置台の使用姿勢を示す平面図である。
【図９】第４実施形態における載置台の使用姿勢を示す平面図である。
【図１０】第４実施形態の変形例における載置台の使用姿勢を示す平面図である。
【発明を実施するための形態】
【００２９】
本発明に係る農作業機について、その実施形態を図面に基づいて説明する。
図１及び図２に、農作業機の一例である自脱型コンバインが示されている。本実施形態のコンバインは、稲、麦などの収穫作業を行なう。なお、以下の説明では、コンバインの走行機体に関し、図１，２に示される矢印Ｆの方向を「機体前方」、矢印Ｂの方向を「機体後方」、図１に示される矢印Ｕの方向を「機体上方」、矢印Ｄの方向を「機体下方」、図２に示される矢印Ｌの方向を「機体左方」、矢印Ｒの方向を「機体右方」とする。
【００３０】
［第１実施形態］
コンバインは、左右一対のクローラ走行装置１，１によって自走する走行機体によって構成され、機体の前部に、圃場の作物（例えば、植立穀稈）を収穫する刈取部３が設けられている。機体の前部右側に、運転席４ａを有する運転部４が備えられている。すなわち、運転部４は、刈取部３の後方において、機体左右方向の一方側に偏倚する状態で設けられている。運転部４の後方には、刈取部３によって刈り取られた穀稈を脱穀処理する脱穀装置５と、脱穀処理によって得られた穀粒を貯留する穀粒タンク６とが、横並び状態で設けられている。穀粒タンク６内の穀粒を外部に排出する穀粒排出装置７が設けられている。運転部４、脱穀装置５、及び穀粒タンク６は、機体フレーム２に載置支持されている。
【００３１】
刈取部３は、刈取対象の植立穀稈を分草具１１によって引起し装置１２に導入して引起し処理しながらバリカン形の刈取装置１３によって刈取処理し、刈取り穀稈を供給装置１４によって走行機体後方向きに搬送して脱穀装置５のフィードチェーン５ａに供給する。脱穀装置５は、フィードチェーン５ａによって刈取穀稈の株元側を挟持して走行機体後方向きに搬送し、搬送する刈取り穀稈の穂先側を扱室（図示せず）に供給して脱穀処理する。穀粒タンク６は、脱穀装置５から搬送された脱穀粒を回収して貯留していく。
【００３２】
図１及び図２に示すように、エンジン用の燃料タンク８（液体貯留部の一例）が、機体横側部に配置されている。本実施形態では、燃料タンク８は、走行機体において運転部４が位置する側とは反対側である。燃料タンク８は、機体フレーム２の前端部に載置支持された状態で設けてられている。
【００３３】
走行機体には、燃料タンク８に燃料を補給するための燃料補給タンク９（液体補給容器の一例）を載置可能な載置台３０が備えられている。載置台３０は、燃料タンク８に隣接する位置に設けられている。載置台３０は、基部４０と、張出部５０と、保持部６０と、を備える。本実施形態では、基部４０は分草ガイドによって構成されている。分草ガイドは、機体に対して未刈地側に位置して未刈地側の作物を分草する。基部４０（分草ガイド）は、機体フレーム２に支持されて機体外側（機体左外側）に向けて張り出されている。張出部５０は、基部４０に支持されて基部４０よりも機体外側に張り出す張出状態に設置可能である。保持部６０は、張出部５０を張出状態に状態保持するために張出部５０に設けられる。
【００３４】
図４に示すように、基部４０は、機体前後方向における前端部及び後端部が中間部に対して同じ側に折れ曲がった形状に形成されている。すなわち、基部４０は、機体外側ほど機体に沿う幅が狭くなるに形成されている。
【００３５】
基部４０は、第１フレーム部４１と、第２フレーム部４２と、斜めフレーム材４３とによって構成されている。第２フレーム部４２は、当該基部４０のうちの機体最外側に位置し、第１フレーム部４１に対して機体外側に配置されている。斜めフレーム材４３は、第２フレーム部４２の延び方向における両端部から機体に向けて斜めに延びている。第１フレーム部４１は、第２フレーム部４２から機体内側に離れた位置に第２フレーム部４２と間隔を空けた状態で設けられ、第２フレーム部４２と平行な状態で斜めフレーム材４３から延びている。本実施形態では、第１フレーム部４１及び第２フレーム部４２の両方が機体外周部に沿って延びている。
【００３６】
図３は、基部４０の前端側の枢着構造を示す平面図である。図３に示すように、基部４０は前端部に枢着部４５を備える。基部４０は、機体フレーム２に設けられた前後一対の支持部２ａ，２ａに前端部及び後端部の枢着部４５で枢着されており、機体前後向きの枢支部７５の軸芯Ｐ周りにおいて上下に揺動可能である。
【００３７】
基部４０は、ロック手段７０によって使用姿勢に固定することことができる。ロック手段７０は、例えば、図３に示すように、フック７１と、フック７１の支軸７２の装着されたスプリング７３を備えて構成される。ロック手段７０は、フック７１を使用姿勢の基部４０の枢着部４５にその下方から係合させることにより、基部４０をロック状態にする。
【００３８】
ロック手段７０は、フック７１が係合した状態にある基部４０を少し持ち上げることにより、フック７１を枢着部４５から離脱させることができ、フック７１を枢着部４５から離脱させることによって、基部４０をロック解除状態にする。基部４０がロック解除状態のときのフック７１は、走行振動などでガタ付かないようにスプリング７３によって支持部２ａに圧接される。
【００３９】
これにより、基部４０は、水平姿勢である使用姿勢（図１の実線位置）と格納姿勢（図１の二点鎖線位置）とに切り換え可能であり、機体内側に格納可能に構成されている。これに対して、後述の張出部５０は、基部４０に対して着脱可能に構成されている。
【００４０】
図４及び図５に示されるように、張出部５０は、第１当接部５１と、第２当接部５２と、載置部５３と、を備える。第１当接部５１は、張出部５０を基部４０に取り付けた取付状態（以下、「取付状態」と略称する）において第１フレーム部４１に下方から当接する部分である。第２当接部５２は、取付状態において第２フレーム部４２に載置される部分である。載置部５３は、第１当接部５１と第２当接部５２とを結ぶとともに、取付状態において第２当接部５２よりも機体外側に延びている。
【００４１】
本実施形態では、張出部５０は２部材によって構成されている。２部材は、第１当接部５１を有し機体内側に位置する中実の鋼材と、第２当接部５２を有し機体外側に位置するパイプ材とによって構成されている。これら２部材は例えば溶接されて一体化されている。
【００４２】
張出部５０において、第１当接部５１は、円弧状且つ釣り針状の係止形状を有する。すなわち、第１当接部５１は、第１フレーム部４１を外周側から取り囲むとともに、第１フレーム部４１を差し込み可能な形状である。第１当接部５１は、取付状態において、第１フレーム部４１の上側部分に隣り合う上部５１ａと、第１フレーム部４１の下側部分に隣り合う下部５１ｂと有する形状に構成されている。第１当接部５１は、さらに上部５１ａと下部５１ｂとの間に後述する第１保持部６１を有し、第１保持部６１は第１フレーム部４１の機体内側の側部に隣接している。円弧状の第１当接部５１における開口部分は取付状態において機体外側に向く位置に設けられている。基部４０に対して張出部５０を取り付けるには、図５に示すように、張出部５０を斜め姿勢（二点鎖線で示す姿勢）にし、第１当接部５１の開口部分から第１フレーム４１部を差し込み、その後に張出部５０を第１フレーム部４１に軸心周りに回転させて水平姿勢（実線で示す姿勢）にする。
【００４３】
張出部５０が基部４０に支持されて水平姿勢となった際には、張出部５０において、第１当接部５１の下部５１ｂが第１フレーム部４１の下部に当接し、載置部５３の下面に位置する第２当接部５２が第２フレーム部４２の上部に当接する。ここで、張出部５０は、第２フレーム部４２に載置する際に、例えば、張出部５０を斜め姿勢の状態で操作者が張出部５０から手を離した場合等に、張出部５０は第１フレーム部４１を支点として、第２フレーム部４２上で跳ね上がることがある。その場合、第１当接部５１が第１フレーム部４１から離れて張出部５０が基部４０から離脱する可能性がある。しかし、本実施形態では、第１当接部５１が円弧状に形成されている。このため、第１当接部５１が第１フレーム部４１に当接し続けることで、張出部５０が第１フレーム部４１を支点とした回転を抑制しつつ、張出部５０が基部４０から離脱するのを阻止することができる。
【００４４】
張出部５０は、第１当接部５１、第２当接部５２、及び載置部５３を複数組備える。張出部５０は、さらに、複数組の第１当接部５１、第２当接部５２及び載置部５３を連結する連結部材５４を備える。本実施形態では、張出部５０は、第１当接部５１、第２当接部５２、及び載置部５３が２部材によって構成されており、２組の載置部５３等を備える。また、連結部材５４は載置部５３の機体外側の端部同士を連結されている。２組の載置部５３等は機体前後方向において離間して設けられている。これにより、載置台３０は、張出部５０において２組の載置部５３等の間の距離を適宜調整することで燃料補給タンク９の載置スペースを容易に変更することができる。
【００４５】
載置部５３は、第２当接部５２の位置を基準としたときに、機体内側に位置する第１部分５３Ａと、機体外側を突出する第２部分５３Ｂとを有する。載置部５３は、少なくとも第２部分５３Ｂに燃料補給タンク９が載置可能である。
【００４６】
張出部５０は、第２当接部５２を基準として、機体内側よりも機体外側の重量が大きくなるように構成されている。本実施形態では、張出部５０は、機体内側に位置する、第１当接部５１及び載置部５３の第１部分５３Ａの合計重量よりも、機体外側に位置する、載置部５３の第２部分５３Ｂ及び連結部材５４の合計重量の方が大きい。これにより、張出部５０は、第１当接部５１が第１フレーム部４１に当接するとともに、第２当接部５２が第２フレーム部４２に当接するので、取付状態において水平姿勢を保持することができる。
【００４７】
このように、基部４０を燃料タンク８の機体横外側近くに配置し、張出部５０を基部４０に張出状態に支持させることで、載置台３０に載置された燃料補給タンク９から燃料タンク８に楽に燃料補給を行うことができる。
【００４８】
張出部５０は、張出状態を維持したまま、基部４０に対して機体外周部沿いにスライド移動可能に構成されている。具体的には、張出部５０は、第１当接部５１を基部４０の第１フレーム部４１に差し込んだ状態のまま、スライド移動させることができる。本実施形態では、張出部５０は基部４０に対して機体前後方向にスライド移動可能である。これにより、張出部５０は機体外周部沿いの位置を容易に調整することができ、載置部５３を適正な位置に配置することができる。
【００４９】
張出部５０は、載置部５３に燃料補給タンク９が載置された際や、外力を受けた際等において、載置部５３の延び方向に移動する場合がある。そこで、張出部５０には、保持部６０が備えられている。保持部６０は、取付状態において、第１フレーム部４１及び第２フレーム部４２に係止することで、機体に対して近接離間する方向（載置部５３の延び方向）での張出部５０の基部４０に対する相対移動を規制するように構成されている。
【００５０】
図４及び図５に示すように、保持部６０は、第１フレーム部４１に隣接する第１保持部６１と、第２フレーム部４２に隣接する第２保持部６２とによって構成されている。具体的には、第１保持部６１は第１当接部５１の一部であり、第２保持部６２は載置部５３の下部に円柱状に形成されて設けられている。本実施形態では、第１保持部６１は、取付状態において、第１フレーム部４１よりも機体内側に位置し、第２保持部６２は、取付状態において、第２フレーム部４２よりも機体外側に位置する。すなわち、保持部６０は、取付状態において、第１フレーム部４１よりも機体内側と第２フレーム部４２よりも機体外側とに位置して、第１フレーム部４１と第２フレーム部４２との両方に隣り合う状態となる。
【００５１】
第１保持部６１及び第２保持部６２を上述のように配置することで、例えば、張出部５０が機体外側に向けて移動する際には、第１当接部５１に設けられた第１保持部６１が第１フレーム部４１に当接するため、張出部５０の機体内側への移動が規制される。反対に、張出部５０が機体内側に向けて移動する際には、第２保持部６２が第２フレーム部４２に当接することで、張出部５０の機体内側への移動が規制される。これにより、張出部５０は、機体に対して近接離間する方向での位置が安定する。本実施形態では、張出部５０の第２保持部６２は、２組の載置部５３に亘って機体前後方向に設けられている。これにより、第２保持部６２は第２フレーム部４２との当接可能領域が増すため、張出部５０は機体内側への移動をより確実に規制することができる。
【００５２】
［第２実施形態］
第２実施形態では、載置台３０のうち張出部５０の構成が第１実施形態とは異なり、他の構成は第１実施形態と同じである。張出部５０において、第１当接部５１は、円弧状且つＵ字状の係止形状を有する。すなわち、第１当接部５１は、第１実施形態と同じく、第１フレーム部４１を外周側から取り囲むとともに、第１フレーム部４１を差し込み可能な形状である。ただし、図６に示すように、円弧状の第１当接部５１において、開口部分は取付状態において機体内側となる位置に設けられている。基部４０に対して張出部５０を取り付けるには、図６に示すように、張出部５０を斜め姿勢（二点鎖線で示す姿勢）にし、第１フレーム部４１の上方から第１当接部５１の開口部分に第１フレーム部４１を差し込み、その後に張出部５０を第１フレーム部４１に軸心周りに回転させて水平姿勢（実線で示す姿勢）にする。張出部５０が基部４０に支持されて水平姿勢となった際には、張出部５０において、第１当接部５１の下部５１ｂと後述の第１保持部６１が第１フレーム部４１の下部及び側部に当接し、載置部５３の下面に位置する第２当接部５２が第２フレーム部４２の上部に当接する。
【００５３】
保持部６０は、第１フレーム部４１に隣接する第１保持部６１と、第２フレーム部４２に隣接する第２保持部６２とによって構成されている。本実施形態では、第１保持部６１は、取付状態において、第１フレーム部４１よりも機体外側に位置し、第２保持部６２は、取付状態において、第２フレーム部４２よりも機体内側に位置する。すなわち、保持部６０は、取付状態において、第１フレーム部４１と第２フレーム部４２との間に位置して、第１フレーム部４１と第２フレーム部４２との両方に隣り合う状態となる。
【００５４】
第１保持部６１及び第２保持部６２を上述のように配置することで、例えば、張出部５０が機体内側に向けて移動する際には、第１当接部５１に設けられた第１保持部６１が第１フレーム部４１に当接するため、張出部５０の機体内側への移動が規制される。反対に、張出部５０が機体外側に向けて移動する際には、第２保持部６２が第２フレーム部４２に当接することで、張出部５０の機体外側への移動が規制される。これにより、張出部５０は、機体に対して近接離間する方向での位置が安定する。
【００５５】
［第３実施形態］
第３実施形態では、載置台３０のうち張出部５０の構成が第１実施形態とは異なり、他の構成は第１実施形態と同じである。図７及び図８に示すように、張出部５０は、棒状の一部材によって構成されている。載置部５３は、第１フレーム部４１と第２フレーム部４２との間に位置する部位において下方に屈曲している。第１当接部５１は第１フレーム部４１の下部に当接し、第１当接部５１の先端側に第１保持部６１が配置されている。第１保持部６１は第１フレーム部４１の機体内側の側部に隣接している。基部４０に対して張出部５０を取り付けるには、図７に示すように、張出部５０を斜め姿勢（二点鎖線で示す姿勢）にし、載置部５３の下部に設けられた第２当接部５２を第２フレーム部４２に押し当てた状態で、張出部５０を第２フレーム部４２に軸心周りに回転させて、第１当接部５１を第１フレーム部４１に当接させることで、張出部５０を水平姿勢（実線で示す姿勢）にする。
【００５６】
保持部６０は、第１フレーム部４１に隣接する第１保持部６１と、第２フレーム部４２に隣接する第２保持部６２とによって構成されている。本実施形態では、第１保持部６１は、取付状態において、第１フレーム部４１よりも機体内側に位置し、第２保持部６２は、取付状態において、第２フレーム部４２よりも機体外側に位置する。すなわち、保持部６０は、取付状態において、第１フレーム部４１よりも機体内側と第２フレーム部４２よりも機体外側とに位置して、第１フレーム部４１と第２フレーム部４２との両方に隣り合う状態となる。
【００５７】
第１保持部６１及び第２保持部６２を上述のように配置することで、例えば、張出部５０が機体外側に向けて移動する際には、第１当接部５１に設けられた第１保持部６１が第１フレーム部４１に当接するため、張出部５０の機体外側への移動が規制される。反対に、張出部５０が機体内側に向けて移動する際には、第２保持部６２が第２フレーム部４２に当接することで、張出部５０の機体内側への移動が規制される。これにより、張出部５０は、機体に対して近接離間する方向での位置が安定する。
【００５８】
［第４実施形態］
第４実施形態では、載置台３０のうち基部４０の構成が第１実施形態とは異なり、他の構成は第１実施形態と同じである。図９に示すように、基部４０は、第２フレーム部４２が機体前後方向に長く形成されているが、第１フレーム部４１は機体前側のみに設けられている。具体的には、第２フレーム部４２の機体前側から機体フレーム２に向けて斜めフレーム材４３が接続され、斜めフレーム材４３の中途部に第１フレーム部４１が設けられている。第１フレーム部４１の機体後側には斜めフレーム材４３に平行となるように斜めフレーム材４４が配置されている。斜めフレーム材４４は、第１フレーム部４１の後端部から第２フレーム部４２に向けて斜めに延びている。こうして、基部４０において、張出部５０の取付部位は、第１フレーム部４１、第２フレーム部４２、斜めフレーム材４３，４４による平行四辺形状の領域によって構成される。第１フレーム部４１が機体前後方向に設けられる基部４０の一部に配置され、第１フレーム部４１の両端が一対の斜めフレーム材４３，４４によって支持されることで、基部４０における張出部５０の取付部位の剛性を高めることができる。基部４０において、斜めフレーム材４３及び斜めフレーム材４４が平行でない構成でもよい。
【００５９】
本実施形態においても、張出部５０は、張出状態を維持したまま、基部４０に対して機体外周部沿いにスライド移動可能に構成されている。図９に示すように、張出部５０は、機体前側が斜めフレーム材４３の位置（二点鎖線の位置）まで移動可能に構成されている。この場合には、斜めフレーム材４３のうち第１フレーム部４１よりも機体外側に位置する部分は、第２フレーム部４２の代替物として用いることができる。また、図示しないが、基部４０は、張出部５０の機体後側が斜めフレーム材４４の位置まで移動可能に構成してもよい。この場合には、斜めフレーム材４４は、第１フレーム部４１の代替物として用いることができる。
【００６０】
［第４実施形態の変形例］
本変形例では、燃料タンク８が機体後部に配置されている際の載置台３０の例を示す。図１０に示すように、基部４０のうち、第１フレーム部４１は機体後側のみに設けられている。具体的には、第２フレーム部４２の機体後側から機体フレーム２に向けて斜めフレーム材４３が接続され、斜めフレーム材４３の中途部に第１フレーム部４１が設けられている。第１フレーム部４１の機体前側には斜めフレーム材４３に平行となるように斜めフレーム材４４が配置されている。斜めフレーム材４４は、第１フレーム部４１の前端部じから第２フレーム部４２に向けて斜めに延びている。こうして、基部４０において、張出部５０の取付部位は、第１フレーム部４１、第２フレーム部４２、斜めフレーム材４３，４４による平行四辺形状の領域によって構成される。本変形例においても、基部４０における張出部５０の取付部位の剛性を高めることができる。基部４０において、斜めフレーム材４３及び斜めフレーム材４４が平行でない構成でもよい。
【００６１】
本変形例では、図１０に示すように、張出部５０は、機体後側が斜めフレーム材４３の位置（二点鎖線の位置）まで移動可能に構成されている。この場合には、斜めフレーム材４３のうち第１フレーム部４１よりも機体外側に位置する部分は、第２フレーム部４２の代替物として用いることができる。また、図示しないが、基部４０は、張出部５０の機体前側が斜めフレーム材４４の位置まで移動可能に構成してもよい。この場合には、斜めフレーム材４４は、第１フレーム部４１の代替物として用いることができる。
【００６２】
〔別実施形態〕
（１）上記の実施形態では、農作業機の一例であるコンバインにおいて、載置台３０の基部４０として分草ガイドを用いる例を示したが、基部４０は分草ガイド以外であってもよい。上記の実施形態では、基部４０を機体左側に配置する例を示したが、農作業機に備えられる燃料タンク８の位置に応じて基部４０は機体右側、機体前側、及び機体後側等に配置されていてもよい。
【００６３】
（２）上記の実施形態では、基部４０において、第１フレーム部４１及び第２フレーム部４２が、いずれも農作業機の機体外周部に沿って延びるよう構成された例を示したが、第１フレーム部４１及び第２フレーム部４２は、一方または双方が農作業機の機体外周部に沿わない形状であってもよい。上記の実施形態では、第２フレーム部４２が基部４０のうちの機体最外側に位置する例を示したが、第２フレーム部４２が基部４０のうちの機体最外側でない構成であってもよい。また、上記の実施形態では、基部４０が機体外側ほど機体に沿う幅が狭くなる枠状体に形成される例を示したが、基部４０は機体外側に向けて機体に沿う幅が同じでもよく、機体外側ほど機体に沿う幅が広くなる構成でもよい。
【００６４】
（３）上記の第１実施形態及び第２実施形態では、張出部５０において、載置部５３が２部材で構成される例を示したが、載置部５３は一部材で構成されていてもよい。
【００６５】
（４）上記の実施形態では、基部４０に対して張出部５０が着脱可能に構成される例を示したが、張出部５０は基部４０に対して着脱されない構成でもよい。基部４０及び張出部５０を載置台３０として用いないときには、張出部５０を機体内側に向けて姿勢変更したり、張出部５０を基部４０ともに格納姿勢にしたりすることで、農作業機はコンパクトな形態に変更することができる。
【００６６】
（５）上記の第４実施形態では、機体前後方向において基部４０は載置台３０が位置する側の前端部又は後端部にロック手段７０を配備した例を示したが、基部４０の前後両端部にロック手段７０を配備してもよい。
【００６７】
（６）上記の実施形態では、基部４０が使用姿勢から下方に向けて揺動されることで格納姿勢に切り換わる例を示したが、使用姿勢から上方に揺動されることで格納姿勢に切り換わる構成を採用してもよい。その他、基部４０は機体から機体外方に向けて引き出し式に構成されていてもよい。
【産業上の利用可能性】
【００６８】
本発明は、自脱型コンバインだけでなく、普通型コンバイン等の他の収穫機や、トラクタ、田植機等にも適用可能である。
【符号の説明】
【００６９】
１      ：クローラ走行装置
２      ：機体フレーム
８      ：燃料タンク（液体貯留部）
９      ：燃料補給タンク（液体補給容器）
３０    ：載置台
４０    ：基部
４１    ：第１フレーム部
４２    ：第２フレーム部
４３，４４：斜めフレーム材
５０    ：張出部
５１    ：第１当接部
５１ａ  ：上部
５１ｂ  ：下部
５２    ：第２当接部
５３    ：載置部
５４    ：連結部材
６０    ：保持部
６１    ：第１保持部
６２    ：第２保持部
７０    ：ロック手段
７５    ：枢支部
Ｐ      ：枢支部の軸芯
【図１】
2022002490.tif 000003
【図２】
2022002490.tif 000004
【図３】
2022002490.tif 000005
【図４】
2022002490.tif 000006
【図５】
2022002490.tif 000007
【図６】
2022002490.tif 000008
【図７】
2022002490.tif 000009
【図８】
2022002490.tif 000010
【図９】
2022002490.tif 000011
【図１０】
2022002490.tif 000012